【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
１人以上の医療患者に関連付けられた情報を表示する医療患者監視装置であって、
少なくとも１人の患者に関連付けられた情報を受信するように構成されたインタフェースと、
前記情報を表示するように構成されたディスプレイと、
前記ディスプレイに表示される前記情報を制御するように構成されたプロセッサと、
前記医療患者監視装置の近傍の検出範囲内において、臨床担当者が誰であるかを表す臨床担当者トークンの物理的存在を検出する検出器と、を備え、
前記プロセッサはさらに、前記臨床担当者トークンが検出されたことに対する応答として、第１の所定のアクションを実行するように構成されており、前記第１の所定のアクションは、前記臨床担当者が誰かという情報に関連付けられている、
医療患者監視装置。
【請求項２】
前記第１の所定のアクションは、前記ディスプレイに表示される前記情報を変更することを含む、請求項１に記載の医療患者監視装置。
【請求項３】
前記第１の所定のアクションは、前記臨床担当者が担当する１人以上の患者に関連付けられた情報を表示することを含む、請求項１に記載の医療患者監視装置。
【請求項４】
前記検出器は、前記臨床担当者がトークンアクチュエータを起動したことに対する応答として、前記臨床担当者トークンから信号を受信するように構成された、請求項１に記載の医療患者監視装置。
【請求項５】
前記信号は識別コードを含み、前記プロセッサはさらに、前記コードをデータベースに伝達して前記第１の所定のアクションを識別するように構成された、請求項４に記載の医療患者監視装置。
【請求項６】
前記検出器は、前記臨床担当者が何もしなくても、前記医療患者監視装置の近傍の前記検出範囲内において前記臨床担当者トークンの物理的存在を自動的に検出する、請求項１に記載の医療患者監視装置。
【請求項７】
生理学的情報を監視する医療患者監視装置であって、
少なくとも１人の患者に関連付けられた生理学的情報を受信するように構成されたインタフェースと、
前記生理学的情報に基づいて患者の生理学的パラメータを求めるように構成されたプロセッサと、
前記医療患者監視装置の近傍の検出範囲内において、臨床担当者が誰であるかを表す臨床担当者トークンの物理的存在を検出する検出器と、を備え、
前記プロセッサはさらに、前記臨床担当者トークンが検出されたことに対する応答として、第１の所定のアクションを実行するように構成されており、前記第１の所定のアクションは、前記臨床担当者が誰かという情報に関連付けられている、
医療患者監視装置。
【請求項８】
前記所定のアクションは、前記臨床担当者を前記医療患者監視装置にログインさせることを含む、請求項７に記載の医療患者監視装置。
【請求項９】
前記所定のアクションは、前記医療患者監視装置の構成を設定することを含む、請求項７に記載の医療患者監視装置。
【請求項１０】
前記所定のアクションは、前記医療患者監視装置によって提供される機能を有効にすることを含む、請求項７に記載の医療患者監視装置。
【請求項１１】
前記所定のアクションは、前記医療患者監視装置によって表示される情報の実体を変更することを含む、請求項７に記載の医療患者監視装置。
【請求項１２】
前記所定のアクションは、前記医療患者監視装置によって表示される情報のフォーマッティングを変更することを含む、請求項７に記載の医療患者監視装置。
【請求項１３】
前記所定のアクションは、生理学的情報をリモート装置に送信することを含む、請求項７に記載の医療患者監視装置。
【請求項１４】
前記所定のアクションは、患者監視オプションを設定することを含む、請求項７に記載の医療患者監視装置。
【請求項１５】
前記プロセッサはさらに、前記臨床担当者トークンの存在が検出されなくなった時点で第２の所定のアクションを実行するように構成された、請求項７に記載の医療患者監視装置。
【請求項１６】
前記第２の所定のアクションは、前記第１の所定のアクションを逆にする、請求項１５に記載の医療患者監視装置。
【請求項１７】
前記検出器は、前記医療患者監視装置と前記臨床担当者トークンとの間に物理的接触がなくても、前記臨床担当者トークンの物理的存在を検出するように構成された、請求項７に記載の医療患者監視装置。
【請求項１８】
前記臨床担当者トークンは、民生用電子装置を備えており、前記民生用電子装置は、臨床担当者識別コードを自身に関連付ける登録処理がなされている、請求項７に記載の医療患者監視装置。
【請求項１９】
前記臨床担当者トークンは、Ｂｌｕｅｔｏｏｔｈ（登録商標）対応装置を備える、請求項７に記載の医療患者監視装置。
【請求項２０】
前記臨床担当者トークンは、ＲＦＩＤタグを備える、請求項７に記載の医療患者監視装置。
【請求項２１】
前記臨床担当者トークンの物理的存在は、分散配置された複数のアクセスポイントを用いる、前記臨床担当者トークンの位置の三角測量に基づいて検出される、請求項７に記載の医療患者監視装置。
【請求項２２】
前記検出器が前記検出範囲内で複数の臨床担当者トークンの存在を検出した場合には、前記複数の臨床担当者トークンに関連付けられた複数の優先度インジケータを用いて、どの臨床担当者が前記第１の所定のアクションを実行すべきかに基づいて、臨床担当者トークンを選択する論理をさらに備える、請求項７に記載の医療患者監視装置。
【請求項２３】
前記検出器は、前記臨床担当者トークンからの無線信号の強度に少なくとも部分的に基づいて前記臨床担当者トークンの物理的存在を検出するように構成された、請求項７に記載の医療患者監視装置。
【請求項２４】
前記検出器は、前記臨床担当者トークンから無線信号が検出される時間の長さに少なくとも部分的に基づいて前記臨床担当者トークンの物理的存在を検出するように構成された、請求項７に記載の医療患者監視装置。
【請求項２５】
臨床担当者が前記医療患者監視装置と物理的に対話して、前記医療患者監視装置によって提供される一連のアクションのうちのいずれか１つを前記医療患者監視装置に実行させることを可能にするユーザインタフェースをさらに備え、前記一連のアクションは、前記第１の所定のアクションを含む、請求項７に記載の医療患者監視装置。
【請求項２６】
前記生理学的情報を検知する医療パラメータセンサと通信可能に結合される入力ポートを有するベッドサイド患者監視器を備える、請求項７に記載の医療患者監視装置。
【請求項２７】
複数のベッドサイド患者監視器と通信可能に結合されて、複数の患者からの生理学的情報を前記複数のベッドサイド患者監視器から受信するように構成された中央監視装置を備える、請求項７に記載の医療患者監視装置。
【請求項２８】
臨床担当者が誰かという情報を医療患者監視装置に伝達する臨床担当者トークンであって、
医療臨床担当者が誰かという情報に関連付けられた臨床担当者識別コードを格納するように構成されたメモリと、
前記医療患者監視装置に関連付けられた検出範囲内で前記臨床担当者トークンの位置が特定されたことに対する応答として、前記臨床担当者識別コードを医療監視装置に無線伝達するように構成された通信モジュールと、を備え、前記通信モジュールはさらに、前記臨床担当者識別コードを受信したことに対する応答として、前記臨床担当者に関連付けられた臨床情報の表示を医療監視装置に行わせるように構成された、
臨床担当者トークン。
【請求項２９】
前記臨床担当者からコマンドを受信することと、前記コマンドに対する応答として、前記医療患者監視装置との通信を前記通信モジュールに行わせることと、を行うように構成された入力モジュールをさらに備える、請求項２８に記載の臨床担当者トークン。
【請求項３０】
複数の医療装置の物理的位置を特定する臨床システムであって、
複数の患者から生理学的情報を収集するように構成された、複数の医療患者監視装置と、
前記複数の医療患者監視装置からの無線信号を検出するように構成された複数の検出器からなる分散ネットワークと、
前記複数の検出器と通信可能に結合された位置監視サーバであって、前記複数の検出器から検出される前記無線信号に基づいて、前記複数の医療患者監視装置の物理的位置の推定値を求めるように構成された前記位置監視サーバと、
を備える臨床システム。
【請求項３１】
前記位置監視サーバは、前記複数の医療患者監視装置と通信可能に結合されており、前記位置監視サーバは、医療患者監視装置の前記推定された物理的位置に基づくルールを用いたアクションを前記医療患者監視装置に実行させるように構成された、請求項３０に記載の臨床システム。
【請求項３２】
前記アクションは、医療患者監視装置の構成を設定することを含む、請求項３１に記載の臨床システム。
【請求項３３】
前記構成は、患者監視オプションを含む、請求項３２に記載の臨床システム。
【請求項３４】
前記患者監視オプションは、生理学的パラメータアラーム限界を含む、請求項３３に記載の臨床システム。
【請求項３５】
前記アクションは、前記複数の医療患者監視装置のうちの１つによって検出された生理学的パラメータアラーム状態を臨床担当者に通知することを含む、請求項３１に記載の臨床システム。
【請求項３６】
前記ルールは、前記生理学的パラメータアラーム状態を検出する前記医療患者監視装置に物理的に最も近い臨床担当者に通知を行うことを含む、請求項３５に記載の臨床システム。
【請求項３７】
前記複数の検出器は、ＷｉＦｉ対応アクセスポイントを含む、請求項３０に記載の臨床システム。
【請求項３８】
前記複数の医療患者監視装置は、前記複数の検出器と、
少なくとも１人の患者から生理学的情報を受信するように構成されたインタフェースと、
前記生理学的情報に基づく臨床的に有用なタスクを実行するように構成されたプロセッサと、
前記医療患者監視装置の近傍の検出範囲内において、臨床担当者が誰であるかを表す臨床担当者トークンの物理的存在を検出する検出器と、を備え、
前記プロセッサはさらに、前記臨床担当者トークンが検出されたことに対する応答として、第１の所定のアクションを実行するように構成されており、前記第１の所定のアクションは、前記臨床担当者が誰かという情報に関連付けられている、
請求項３０に記載の臨床システム。
【請求項３９】
近傍表示の近傍にいるユーザに関連付けられた表示環境設定に従って、１人以上の医療患者に関連付けられた生理学的パラメータを画面に表示するように構成された前記近傍表示であって、
患者から得られた光センサ信号に対する応答として生理学的パラメータを求めるように構成された生理学的監視器と、
前記生理学的監視器に組み込まれ、前記生理学的パラメータを治療担当者の閲覧用として提示するように構成されたディスプレイと、
前記監視器に組み込まれ、前記治療担当者が携帯する送信機から受信した、前記治療担当者に関連付けられた識別信号に応答する送受信機と、を備え、前記ディスプレイは、前記識別信号で示された前記治療担当者に関連付けられた表示環境設定に従って、前記生理学的パラメータを前記ディスプレイに表示するように構成された、
近傍表示。
【請求項４０】
前記監視器が前記治療担当者から前記識別信号を受信し、前記治療担当者が前記監視器の近傍にいることを了解したことを、前記ディスプレイ上で前記治療担当者にフィードバックする画面機能をさらに備える、請求項３９に記載の近傍表示監視器。
【請求項４１】
前記画面機能は、ディスプレイ上に表された、切り替わる多面固体が、治療担当者が近傍にいることに対する応答として、第１の面に表示された前の画面から、第２の面に表示された好ましい画面へ回転する機能である、請求項４０に記載の近傍表示監視器。
【請求項４２】
前記多面提示は、３つの面を有する、回転する三角形状固体として前記ディスプレイに表示され、最初の画面は、前記３つの面のうちの第１の面に表示され、前記好ましい画面は、前記３つの面のうちの第２の面に表示される、請求項４１に記載の近傍表示監視器。
【請求項４３】
前記多面提示は、４つの面を有する、回転する立方体形状固体として前記ディスプレイに表示され、最初の画面は、前記４つの面のうちの第１の面に表示され、前記好ましい画面は、前記４つの面のうちの第２の面に表示される、請求項４１に記載の近傍表示監視器。
【請求項４４】
前記多面提示は、２つの面を有する、回転する平面固体として前記ディスプレイに表示され、最初の画面は、前記２つの面のうちの第１の面に表示され、前記好ましい画面は、前記２つの面のうちの第２の面に表示される、請求項４１に記載の近傍表示監視器。
【請求項４５】
ディスプレイおよび無線送受信機を有する監視器であって、
前記無線送受信機は、複数のユーザのうちのいずれかが前記監視器の近傍にいることを示す識別信号に応答する、前記監視器と、
前記複数のユーザに対応する、複数の表示環境設定と、
前記表示環境設定に従って生理学的パラメータを前記ディスプレイに提示する、複数の好ましい画面と、
を備える近傍表示監視器。
【請求項４６】
前記複数のユーザに関連付けられた、複数の無線送信機をさらに備え、
前記複数の無線送信機は、前記識別信号を前記無線送受信機に送信し、
前記識別信号は、前記複数のユーザに対応し、
前記複数のユーザは、各自の識別情報および表示環境設定の、前記監視器への入力を完了している、
請求項４５に記載の近傍表示監視器。
【請求項４７】
前記監視器内の前記識別情報および表示環境設定に関連付けられた、複数のコードをさらに備え、
前記識別信号は、前記コードを収容する、
請求項４６に記載の近傍表示監視器。
【請求項４８】
前記監視器内に格納されたルックアップテーブルをさらに備え、
前記ルックアップテーブルは、前記コードならびに対応する識別情報および表示環境設定を格納し、
前記監視器は、前記識別信号内の前記コードを利用して、前記対応する表示環境設定を前記ルックアップテーブルから取り出す、
請求項４７に記載の近傍表示監視器。
【請求項４９】
前記複数のユーザに関連付けられた、複数の優先度を前記ルックアップテーブル内にさらに備え、
前記優先度は、複数のユーザが前記監視器の近傍に存在する場合に、前記好ましい画面のうちのどの画面を前記ディスプレイに提示するかを決定する、
請求項４８に記載の近傍表示。
【請求項５０】
前記識別信号の送信を開始することと、前記優先度を無効にすることと、のうちの少なくとも一方を行うために、複数のユーザがそれぞれの対応する無線送信機から送信する確認応答信号をさらに備える、
請求項４９に記載の近傍表示。
【請求項５１】
肉組織部位に光センサを装着するステップと、
前記センサによって送信される光放射に応答し、前記組織部位内の拍動血流による吸収後に前記センサによって検出される、センサ信号を生成するステップと、
前記センサ信号を監視器に伝達するステップであって、前記監視器は、前記センサ信号を処理して、前記拍動血流の各成分に応答する生理学的パラメータを導出する、前記伝達するステップと、
前記監視器の近傍にいるユーザが誰かという情報を、前記監視器に無線伝達するステップと、
前記生理学的パラメータを監視器ディスプレイに表示するための画面環境設定を、ユーザが誰かという前記情報によって決定するステップと、
前記生理学的パラメータの少なくとも一部を、前記画面環境設定に従って前記監視器ディスプレイに提示するステップと、
を含む近傍表示方法。
【請求項５２】
前記監視器の近傍にユーザが存在することの確認応答として、前記監視器ディスプレイをアニメーション表示にするステップをさらに含む、請求項５１に記載の近傍表示方法。
【請求項５３】
前記無線伝達するステップは、
前記ユーザに識別タグを関連付けることと、
ユーザが誰かという前記情報を確定するために前記識別タグからコードを読み出すことと、
を含む、請求項５２に記載の近傍表示方法。
【請求項５４】
画面環境設定を前記決定するステップは、前記コードを前記画面環境設定に関連付けるルックアップテーブルを読み出すことを含む、請求項５３に記載の近傍表示方法。
【請求項５５】
前記アニメーション表示にするステップは、
多面ファセット固体を前記ディスプレイに表示することと、
前記ファセットのうちの１つに前記画面環境設定を与えることと、
前記ディスプレイ上の前記多面ファセット固体を前記画面環境設定まで回転させることと、
前記多面ファセット固体の代わりに前記画面環境設定を前記ディスプレイに表示することと、
を含む、請求項５４に記載の近傍表示方法。
【請求項５６】
複数の登録ユーザに優先順位を付けて、前記登録ユーザのうちの複数のユーザが前記ディスプレイの近傍にいる場合の優先画面環境設定を決定するようにする、さらなるステップをさらに含む、請求項５５に記載の近傍表示方法。
【請求項５７】
ユーザが前記監視器に送信した信号により前記優先順位付けステップを無効にする、さらなるステップを含む、請求項５６に記載の近傍表示方法。
【請求項５８】
肉組織部位内に送信された光放射から生成され、前記組織部位内での拍動血流による減衰を経て検出されたセンサ信号に応答するプロセッサであって、前記拍動血流の各成分を表す複数の生理学的パラメータを計算するように構成された前記プロセッサと、
近傍ユーザの閲覧用として、前記生理学的パラメータ値の視覚的表現を提供するディスプレイと、
近傍ユーザが誰であるかを決定する無線通信手段と、
前記生理学的パラメータを前記ディスプレイに提示するための、複数の画面環境設定手段と、
ユーザが誰かという前記情報を前記画面環境設定に関連付けるルックアップテーブル手段と、
を備える近傍表示監視器。
【請求項５９】
識別されている近傍ユーザの少なくとも１人に視覚的フィードバックを与えるために、前記ディスプレイに与えられたアニメーション手段をさらに備える、請求項５８に記載の近傍表示。
【請求項６０】
前記画面環境設定手段のどれを前記ディスプレイに与えるかを決定する優先度手段をさらに備える、請求項５９に記載の近傍表示。
【請求項６１】
前記優先度手段を無効にする、ユーザ初期化手段をさらに備える、請求項６０に記載の近傍表示。